(57)【要約】      （修正有）【課題】木材製の仮設構造物が腐食した後の土圧及び、のり面の雨水による流出や凍結融解などに対し、盛土体と、のり面の安定する工法を提供する。【解決手段】角材の先端を出して２本の角材で挟み付けた土台木〔２〕へ、支え木〔３〕の片方を挟み付けてから２本の柱木〔４〕の間に、土台き〔２〕と支え木〔３〕を挟み付け三角状に組立てた支柱〔１〕、及び、複数の横木を一定の間隔に並べ、直角方向の両端部を縦木〔６〕へ螺着した横木パネルを有し、所定の間隔に立てた支柱〔１〕の背面に、横木パネルを添えて上部と下部の両端部を柱木〔４〕へ取付け、更に土台木〔２〕に複数の敷木を取り付けユニットにした丸太積擁壁。【選択図】図１
2006274776.tif 000002
【特許請求の範囲】
【請求項１】
〔イ〕角材の先端を出して２本の角材で挟み付けた土台木〔２〕へ、支え木〔３〕の片方を挟み付けてから２本の柱木〔４〕の間に、土台き〔２〕と支え木〔３〕を挟み付け三角状に組立てた支柱〔１〕、
〔ロ〕複数の横木〔５ａ〕を一定の間隔に並べ、直角方向の両端部を縦木〔６〕へ螺着した横木パネル〔７〕。
〔ハ〕所定の間隔に立てた支柱〔１〕の背面に、横木パネル〔７〕を添えて上部と下部の両端部を柱木〔４〕へ取付け、更に土台木〔２〕に複数の敷木〔５ｂ〕を取り付けユニットにした丸太積擁壁。
【請求項２】
請求項１記載の丸太積擁壁を一基分離してセットし、この間に横木パネル〔７〕を添えて上部と下部の両端部を柱木〔４〕面へ取付け、次に横木パネル〔７〕の背面へ植生ネット〔８〕を張付けてから、掘削土砂を埋戻す又は盛度しシート〔９〕を連続して、この地表面の円弧辷り面〔１０〕より少し入った位置まで敷設し、二段目は土台木〔２〕の先端を柱木〔４〕の頭部に嵌入して積上げ、以降同様の手順で構築し、壁体を築造する丸太積擁壁。
【発明の詳細な説明】
【技術分野】
【０００１】  本発明は、木材を利用した丸太積擁壁に関するものである。
【背景の技術】
【０００２】  治山事業では、丸太積土留工は多種あるが、木材が腐食した後の盛土及び、のり面の安定に対する対策工法がなされていない。
【発明の開示】
【発明が解決しようとする課題】
【０００３】  木材は腐食により、構造物としての耐久性は短かく、コンクリート壁やブロック積のように、土圧に抵抗する構造物に代ることはできない。木材は仮設構造物であるため、腐食した後の土圧及び、のり面の雨水による流出や凍結融解などに対する、盛土体と、のり面の安定する工法が必要である。
【課題を解決するための手段】
【０００４】  〔イ〕角材の先端を出して２本の角材で挟み付けた土台木〔２〕へ、支え木〔３〕の片方を挟み付けてから、２本の柱木〔４〕の間に土台木〔２〕と支え木〔３〕を三角状に挟み付け組立てた支柱〔１〕である。
〔ロ〕複数の横木〔５ａ〕を一定の間隔を取って並べ、直角方向の両端部を縦木〔６〕へ螺着した横木パネル〔７〕である。
〔ハ〕所定の間隔に立てた支柱〔１〕の背面に横木パネル〔７〕を添えて上部と下部の両端部を柱木〔４〕へ取付け、更に土台木〔２〕に複数の敷木〔５ｂ〕を取付けた丸太積擁壁である。
〔ニ〕丸太積擁壁を一基分離してセットし、この間に横木パネル〔７〕を添えて上下部の両端を柱木〔４〕へ取付ける、次に横木パネル〔７〕の背面へ植生ネット〔８〕を張り付けてから、掘削土を埋戻す又は盛土し更に、シート〔９〕を連続してこの地表面へ円弧辷り面〔１０〕より少し入った位置までを敷設する。これにより、盛度内はシートの層に包囲され固定体となる。二段目は土台木〔２〕の先端を柱木〔４〕の頭部に嵌入して積上げる、以降も同様の手順で積上げ、築造する丸太積擁壁である。
【発明の効果】
【０００５】  支柱〔１〕は三角に枠組してパーツ化し、横木は一枚のパネル〔７〕化し、これを組立てユニット化する、機械により吊り下げ運搬してセットする、これらは一連の機械作業で更に、掘削ーセットー埋戻し、このように連続作業で作業能率の施工がで、従来の丸太積の４〜５倍の能率である。【０００６】  構築する盛土の内部に、シートを円弧辷り面より少し入った位置まで敷設する、これにより盛土内の円弧辷りを防止し、又シートにより盛土内が複数の層に分割され水平土圧が軽減される。更に横木面に張った植生ネット〔８〕に芝の根が張り詰め、木材が腐食した後もネットと根が一体の盤状になって、のり面が保護され、このように、盛土築造体自体が安定した構築体となる、これによりコンクリート擁壁やブロック積に代る、盛土の構築ができ、そして余剰する間伐材の使用促進と更に、自然景観が守られる。【０００７】  上記のように、盛度築造体が安定し、りの面の保護により盛度勾配を現在の、一割５分を一割勾配にすることが可能となり、盛度量の削減と用地幅の縮小により、工事費の削減が出来る。
発明を実施するための最良の形態】【０００７】  〔イ〕角材の先端を出して２本の角材で挟み付けた土台木〔２〕へ、支え木〔３〕の片方を挟み付けてから、２本の柱木〔４〕の間に土台木〔２〕と支え木〔３〕を挟み付け三角状に組立てた支柱〔１〕である。
〔ロ〕複数の横木〔４〕を一定の間隔を取って並べ、直角方向の両端部を縦木〔６〕へ螺着した横木パネル〔７〕である。
〔ハ〕所定の間隔に立てた支柱〔１〕の背面に横木パネル〔７〕を嵌入し上部下部の両端部を柱木〔４〕へ取付け、更に土台木〔２〕に複数の敷木〔５ｂ〕を取付けて成る、丸太積擁壁のユニットである。
〔ニ〕ユニットを一基分離してセットし、この間に横木パネル〔７〕を添えて上部下部の両端部を柱木〔４〕へ取付ける。次に横木パネル〔７〕の背面へネット〔８〕を張付けてから、掘削土を埋戻す又は盛土してシート〔９〕を連続して、この地表面へ円弧辷り面〔７〕より少し入った位置まで敷設する。これにより、盛土内はシートの層に包囲された固定体となる。二段目は土台木の先端を柱木〔４〕の頭部に嵌入して積上げる。以降も同様の手順で積上げ、築造する丸太積擁壁である。
【実施例】
【０００８】  施工現場が狭く、機械作業が出ない時は、横木をパネル化せず人力作業で、支柱を２本並べ背面から横木を鉄線又はカスガイにより取付ける。同様の手順で組立て、次に横木の背面からネットを張ってから掘削土を埋戻す又は、盛土し続けてシートを円弧辷り面まで敷設する、以下同様の手順で築造する。
又現場が勾配、カーブ、屈折、や起終点の取付けなど、色々な状況に応じて設置が出来る。
【産業上の利用可能性】
【０００９】  林野庁及び地方自治体は、余剰する間伐材の利用促進に力を入れている。本発明の丸太積擁壁はこの要請に添うものである。又木材が腐食した後も盛土体及びのり面が安定する工法で、コンクリート擁壁やブロック積によらない壁体の築造が可能で、更に自然景観が守もられる。
【図面の簡単な説明】
【図１】  支柱の斜視図
【図２】  横木パネルの斜視図
【図３】  丸太積擁壁の  Ａ  正面図  Ｂ  平面図  Ｃ  断面図
【図４】  擁壁築造体の断面図
【図５】  盛度築造体の断面図
【符号の説明】
１  支柱
２  土台木
３  支え木
４  柱木
５ａ  横木
５ｂ  敷木
６  縦木
７  横木パネル
８  植生ネット
９  シート
１０  円弧辷り面
【図１】
2006274776.tif 000003
【図２】
2006274776.tif 000004
【図３】
2006274776.tif 000005
【図４】
2006274776.tif 000006
【図５】
2006274776.tif 000007